(57)【要約】本発明は、反射式吸光度測定装置、側方流動分析装置及び側方流動分析と反射式吸光度測定が一度にできる一体型装置に関する。本発明の反射式吸光度測定装置は、試料受け入れ部が形成されたベース部材と、ベース部材の上端を覆うカバー部材とを含み、カバー部材には、試料受け入れ部に試料を投入する試料投入口と試料受け入れ部に鉛直するように光透過部材が形成される。本発明の一体型装置は、上述のような反射式吸光度測定装置に一方向に延びて形成されたカバー部材とベース部材を含み、カバー部材には第２試料投入口と測定窓が形成されて、ベース部材にはストリップ受け入れ部が形成される構造を持ち、着脱式の開閉可能な測定窓カバーをさらに含む。本発明の装置は、所定の正確性を維持しながらも、より迅速、簡単かつ容易に吸光度を測定できるだけでなく、一体型装置の場合、側方流動分析情報と吸光度測定情報を一度に測定できて、利便性が図られる。【選択図】図２
2014533371.tif 000002
【特許請求の範囲】
【請求項１】
試料受け入れ部が形成されたベース部材と、
前記ベース部材の上端を覆うカバー部材と、
を含み、
前記カバー部材には、前記試料受け入れ部に試料を投入する試料投入口と前記試料受け入れ部とに鉛直するように光透過部材が形成されて、前記試料受け入れ部は、前記光透過部材を介して入射する光を反射するものであることを特徴とする、反射式吸光度測定装置。
【請求項２】
前記試料受け入れ部は、それ自身が前記光を反射可能である、または、前記光を反射できる反射用底部をさらに備えることを特徴とする、請求項１に記載の反射式吸光度測定装置。
【請求項３】
前記光透過部材は、挿入型、または、前記カバー部材と一体に形成される一体型であり、
前記挿入型の場合、前記カバー部材には、前記光透過部材が挿入される測定窓をさらに含み、前記光透過部材を除いた前記カバー部材の一部または全部が、光遮断されることを特徴とする、請求項１に記載の反射式吸光度測定装置。
【請求項４】
前記光透過部材は、挿入型、または、前記カバー部材と光透過性素材とが一体に形成される一体型であり、
前記カバー部材は、前記光透過部材が挿入される測定窓をさらに含み、前記光透過部材を除いた前記カバー部材の一部または全部が、光遮断されることを特徴とする、請求項１に記載の反射式吸光度測定装置。
【請求項５】
前記光遮断は、物理的手段またはソフトウェア的な手段によるものであることを特徴とする、請求項３または４に記載の反射式吸光度測定装置。
【請求項６】
前記光透過部材の両側面の高さは同一または異なっており、前記光透過部材の下面が、上側方向に突出されることを特徴とする、請求項１〜５のうちいずれか１項に記載の反射式吸光度測定装置。
【請求項７】
前記光透過部材の下面と隣接する前記カバー部材の下面に突起が形成されることを特徴とする、請求項１〜６のうちいずれか１項に記載の反射式吸光度測定装置。
【請求項８】
前記光透過部材の下面から前記試料受け入れ部までの間隔は、約０.５〜１０ｍｍであることを特徴とする、請求項１〜７のうちいずれか１項に記載の反射式吸光度測定装置。
【請求項９】
前記カバー部材には四角ホールが形成されて、前記ベース部材には前記四角ホールと鉛直で対応する部分に四角形状が形成されることを特徴とする、請求項１〜８のうちいずれか１項に記載の反射式吸光度測定装置。
【請求項１０】
前記カバー部材は、一つ以上の試料投入口を含み、
前記試料投入口が複数個を含まれる場合、前記試料投入口は、前記光透過部材を間に置いて互いに向かい合う位置に形成されることを特徴とする、請求項１〜９のうちいずれか１項に記載の反射式吸光度測定装置。
【請求項１１】
前記カバー部材は、一つの試料投入口、及び開口部をさらに含み、
前記開口部は、前記光透過部材を間に置いて前記試料投入口と向かい合う位置に形成されることを特徴とする、請求項１〜９のうちいずれか１項に記載の反射式吸光度測定装置。
【請求項１２】
前記装置は、二つの試料投入口を含み、
前記試料投入口は、前記光透過部材を間に置いて互いに向かい合う位置に形成されることを特徴とする、請求項１〜１０のうちいずれか１項に記載の反射式吸光度測定装置。
【請求項１３】
請求項１〜１２のうちいずれか１項に記載の反射式吸光度測定装置を二つ以上含むことを特徴とする、複合反射式吸光度測定装置。
【請求項１４】
前記反射式吸光度測定装置は、各々並んでまたは一直線状に配置されることを特徴とする、請求項１３に記載の複合反射式吸光度測定装置。
【請求項１５】
請求項１〜１４のうちいずれか１項に記載の反射式吸光度測定装置を含む反射式吸光度測定システムにおいて、
前記反射式吸光度測定装置のカバー部材の上側に配置される光源と、
前記光源から前記光透過部材を介して前記試料受け入れ部に照射された後反射して出てくる光の量を計測するように前記カバー部材の上側に配置される光検出器と、
を含むことを特徴とする、反射式吸光度測定システム。
【請求項１６】
前記光検出器は、前記光源が存在する鉛直線上でずれるように配置されることを特徴とする、請求項１５に記載の反射式吸光度測定システム。
【請求項１７】
側方流動分析用装置において、
ストリップ受け入れ部が形成されたベース部材と、
前記ベース部材の上端を覆う、試料投入口及び測定窓が形成されたカバー部材と、
前記測定窓を開閉できる測定窓カバーと、
を含み、
前記試料投入口は、前記ストリップ受け入れ部に取り付けられたストリップに試料を投入できて、前記測定窓カバーは、前記測定窓を閉じた状態で前記ストリップ受け入れ部に鉛直するように位置することを特徴とする、側方流動分析装置。
【請求項１８】
前記測定窓カバーは着脱式であり、測定窓カバーの開閉は摺動方式であることを特徴とする、請求項１７に記載の側方流動分析装置。
【請求項１９】
反射式吸光度測定及び側方流動分析一体型装置において、
前記一体型装置は、請求項１〜１２のうちいずれか１項に記載の一つ以上の反射式吸光度測定装置と、
前記反射式吸光度測定装置の一方向に延びて形成されるカバー部材とベース部材とを含む側方流動分析装置とを含み、
前記延びて形成されるカバー部材には、第２試料投入口及び測定窓が形成されて、前記延びて形成されるベース部材には、ストリップ受け入れ部が形成されて、前記第２試料投入口は、前記ストリップ受け入れ部に取り付けられたストリップに試料を投入できることを特徴とする、反射式吸光度及び側方流動分析一体型装置。
【請求項２０】
前記第２試料投入口は、前記反射式吸光度測定装置の前記カバー部材に形成された試料投入口と隣接して配列されることを特徴とする、請求項１９に記載の反射式吸光度及び側方流動分析一体型装置。
【請求項２１】
前記装置は、測定窓カバーをさらに含み、
前記測定窓カバーは、着脱式で、開閉可能であり、当該測定窓カバーが閉じられた状態では前記ストリップ受け入れ部に鉛直になるように位置することを特徴とする、請求項２０に記載の反射式吸光度及び側方流動分析一体型装置。
【請求項２２】
前記測定窓カバーの開閉は、摺動方式であることを特徴とする、請求項２１に記載の反射式吸光度及び側方流動分析一体型装置。
【請求項２３】
前記装置は、各々二つ以上の反射式吸光度測定装置及び前記側方流動分析装置を含み、前記反射式吸光度測定装置及び前記側方流動分析装置は、一直線状にまたは並んで配置されることを特徴とする、請求項２０に記載の反射式吸光度及び側方流動分析一体型装置。
【請求項２４】
前記反射式吸光度測定装置及び前記側方流動分析装置は、各々二つであって、
前記一つの反射式吸光度測定装置及び一つの側方流動分析装置は、一直線状に配置されて、残りの一つの反射式吸光度測定装置及び一つの側方流動分析装置も一直線状に配置されて、
前記二つの一直線状に配置された反射式吸光度測定装置及び側方流動分析装置は、並んで配置されることを特徴とする、請求項２０に記載の反射式吸光度及び側方流動分析一体型装置。
【発明の詳細な説明】
【技術分野】
【０００１】
本発明は、生体試料分析用装置に関し、具体的には、反射式吸光度測定装置、側方流動分析装置及び反射式吸光度測定と側方流動分析が共に可能な一体型装置に関する。
【背景技術】
【０００２】
血液または尿のような生物学的試料に含まれた微量の物質を定性または定量測定することからなる新しい診断方法と診断機構の開発がここ３０年間余り速く進められ、現在も迅速に発展している。１９５０年代放射線同位元素を利用した放射能免疫分析法（ＲＩＡ）が初めて導入されて以来、酵素免疫分析法（ＥＬＩＳＡ）が７０年代と８０年代に開発されて発展した。現在、ＥＬＩＳＡ免疫分析法は、最も多く用いられている方法の一つであり、医学や生命科学の研究で必須の道具になった。最近では、変形されたＥＬＩＳＡ分析法が開発されたが、９６−ウェル内部に多数の抗体を固定化して一度に多数の試料を分析する方法もこれらの一つである。
【０００３】
ＲＩＡやＥＬＩＳＡを含む典型的な免疫診断法では、略試料当たり一種類の分析物を複雑な多段階過程を介して、実験室のみに備えられた高価の分析機器を用いて定量化できる。従って、このような施設や設備を備えられない小規模の病院、緊急治療室、家庭などで用いることは容易でない。
【０００４】
このような弱点を補完するために考案された診断製品が、免疫クロマトグラフィー法を利用した簡単な診断キットである。このような診断キットを用いると、全血、血清、尿などの生物学的試料に含まれた特定成分に対する定量及び／または定性分析が速かに行われる。
【０００５】
しかし、免疫クロマトグラフィー法は、例えば抗原−抗体反応のような二つの物質間の特異的反応を基本とするもので、このような検査と共にこれを補正及び／または補完したり、追加の情報を得るために血液のような生物学的試料に含まれた、ヘモグロビンのような他の物質の濃度は、試料を別に採取して、別途の吸光度測定機構／装置を用いて測定しなければならない不都合があった。
【０００６】
吸光度測定の場合、試料に特定波長の光を入射させて試料を通過した光を測定することが一般的ではあるが、試料の量が相対的に多くなければならなく、測定部位に空気層がある場合、結果を信頼できない短所があった。
【０００７】
さらに、免疫測定法と吸光度測定法を共に用いなければならない場合、免疫測定後（または、吸光度測定後）別途の吸光度測定機構／装置に光を透過させて、吸光度測定を行うことが一般的であるため、光源、光検出器、試料が入った測定装置の配置が容易でない問題点があった。
【０００８】
例えば、特許文献１には、生理的体液中被検物の濃度を測定するためのテスト部材を提供する。
【０００９】
また、特許文献２は、コレステロール測定装置及び方法を提供する。
【００１０】
いずれの文献においても、反射式吸光度測定装置、及び吸光度測定と免疫クロマトグラフィー測定を同時に行える装置に対しは開示していなく、吸光度測定及び免疫クロマトグラフィーの測定に当たり、少量の試料でも、便利性及び正確性が増大した装置の開発が求められている。
【先行技術文献】
【特許文献】
【００１１】
【特許文献１】韓国公開特許公報１０−２００７−０００２０４２号
【特許文献２】韓国登録特許公報第２９８１３０号
【発明の概要】
【発明が解決しようとする課題】
【００１２】
本発明は前述した問題点を解決するために創出されたもので、本発明は吸光度を所定の正確性を維持しながら迅速かつ容易に測定可能な反射式吸光度測定装置及び側方流動分析装置を提供する。
【００１３】
また、本発明は、側方流動分析と反射式吸光度測定が、所定の正確性を維持しながらも迅速かつ簡単に一つの装置からなれる反射式吸光度測定及び側方流動分析用一体型装置を提供する。
【課題を解決するための手段】
【００１４】
本発明は、試料受け入れ部が形成されたベース部材と、前記ベース部材の上端を覆うカバー部材とを含み、前記カバー部材には、前記試料受け入れ部に試料を投入する試料投入口と前記試料受け入れ部とに鉛直するように光透過部材が形成されて、前記試料受け入れ部は、前記光透過部材を介して入射する光を反射する、反射式吸光度測定装置を提供する。
【００１５】
本発明に係る一実施形態で、前記受け入れ部は、前記受け入れ部または前記受け入れ部が位置する前記ベース部材自身を光反射特性があるように製作して、光を反射できるか、または前記光を反射できる反射用底部を追加で備えてもよい。
【００１６】
本発明はまた、本発明の光透過部材は、挿入型で前記カバー部材に形成された測定窓を介して挿入されるか、または、光透過部材は、カバー部材と一体型に成形されて、この場合、前記光透過部材とカバー部材は、光透過性素材で成形でき、前記光透過部材を除いた残りの全部または一部は、光遮断される反射式吸光度測定装置を提供する。
【００１７】
本発明はまた、本発明の光遮断は物理的方法またはソフトウェア的な方法によって達成されるか、または前記光透過部材を除いた残りのカバー部材の全部または一部を光火透過性素材で製作される反射式吸光度測定装置を提供する。
【００１８】
本発明はまた、本発明の光透過部材の下面から前記試料受け入れ部までの間隔は、約０．５〜約１０ｍｍである反射式吸光度測定装置を提供する。
【００１９】
本発明はまた、本発明のカバー部材には四角ホールが形成されて、前記ベース部材には前記四角ホールと鉛直に対応する部分に四角形状が形成される反射式吸光度測定装置を提供する。
【００２０】
本発明はまた、本発明の装置は一つ以上、特に二つの試料投入口を含み、試料投入口が複数、特に二つが備えられる場合、前記試料投入口は、前記光透過部材を間に置いて互いに向かい合う位置に形成される反射式吸光度測定装置を提供する。
【００２１】
本発明はまた、本発明のカバー部材は、一つの試料投入口、及び開口部をさらに含み、前記開口部は、前記光透過部材を間に置いて前記試料投入口と向かい合う位置に、例えば、直線上に形成される反射式吸光度測定装置を提供する。
【００２２】
本発明はまた、本発明の光透過部材の下面をなす両側の高さが同一または異なっており、前記光透過部材の下面が、上側方向に突出した、反射式吸光度測定装置を提供する。
【００２３】
本発明はまた、本発明の光透過部材の下面と隣接する前記カバー部材の下面に突起が形成される反射式吸光度測定装置を提供する。
【００２４】
本発明はまた、本発明の装置は、二つの試料投入口、または一つの開口部及び一つの試料投入口を含み、前記各々の試料投入口、または前記一つの試料投入口及び開口部は、前記光透過部材を間に置いて向かい合う位置に形成されて、前記突起は、前記二つの試料投入口中一つにまたは前記開口部が形成された側に形成される反射式吸光度測定装置を提供する。
【００２５】
他の様態で本発明はまた、本発明に係る二つ以上の反射式吸光度測定装置を含む複合反射式吸光度測定装置を提供する。
【００２６】
本発明はまた、前記複合反射式吸光度測定装置に含まれる各々の装置が、長さ方向にまたは左右に並んで配置された複合反射式吸光度測定装置を提供する。
【００２７】
さらに他の様態で本発明はまた、本発明に係る反射式吸光度測定装置を含む反射式吸光度測定システムであり、前記反射式吸光度測定装置のカバー部材の上側に配置される光源、及び前記光源から前記光透過部材を介して前記試料受け入れ部に照射された後反射して出てくる光の量を計測するように前記カバー部材の上側に配置される光検出器を含む反射式吸光度測定システムを提供する。
【００２８】
本発明に係る一具体例で、本発明システムに含まれた光検出器は、前記光源が存在する鉛直線上でずれるように配置できる。
【００２９】
さらに他の様態で本発明はまた、側方流動分析用装置として、ストリップ受け入れ部が形成されたベース部材、前記ベース部材の上端を覆う、試料投入口及び測定窓が形成されたカバー部材、及び前記測定窓を開閉できる測定窓カバーを含み、前記試料投入口は、前記ストリップ受け入れ部に取り付けられたストリップに試料を投入することができて、前記測定窓カバーは、前記測定窓を閉じた状態で前記ストリップ受け入れ部に鉛直するように位置する、側方流動分析装置を提供する。
【００３０】
本発明に係る一具体例で、第２試料投入口は、前記反射式吸光度測定装置の前記カバー部材に形成された試料投入口と一直線上で隣接して配列される。
【００３１】
本発明はまた、前記測定窓カバーは着脱式であり、摺動方式で開閉されるかまたは上方向に引いて開けて、開けられたカバーを下げて閉じる方式で開閉されることができる側方流動分析装置を提供する。
【００３２】
本発明はまた、本発明に係る反射式吸光度分析装置及び側方流動分析装置を含む一体型装置を提供する。
【００３３】
本発明はまた、測定窓カバーをさらに含み、前記カバーは、着脱式であり、開閉可能で、閉じられた状態では、前記ストリップ受け入れ部に鉛直になるように位置する吸光度及び側方流動分析一体型装置を提供する。
【００３４】
本発明はまた、各々二つ以上の反射式吸光度測定装置及び前記側方流動分析装置を含み、前記反射式吸光度測定装置及び前記側方流動分析装置は、一直線状にまたは並んで配置される反射式吸光度及び側方流動分析一体型装置を提供する。
【００３５】
本発明はまた、本発明に係る反射式吸光度測定装置及び前記側方流動分析装置は、各々二つで、前記一つの反射式吸光度測定装置及び一つの側方流動分析装置は、一直線状に配置されて、残りの一つの反射式吸光度測定装置及び一つの側方流動分析装置も一直線状に配置されて、前記二つの一直線状に配置された反射式吸光度測定装置及び側方流動分析装置は、並んで配置される反射式吸光度及び側方流動分析一体型装置を提供する。
【発明の効果】
【００３６】
本発明の装置は、試料の荷積（ｌｏａｄｉｎｇ）が容易であるだけでなく、反射式で吸光度測定が行われることによって、所定の正確性を維持しながらもより簡便かつ容易に吸光度測定が行われる。
【００３７】
また、側方流動分析と吸光度測定が、一つの装置で可能な一体形装置で所定の正確性を維持しながらもより迅速かつ容易に側方流動分析情報と吸光度測定情報を共に測定できて便利性が増すだけでなく側方流動分析に用いられるストリップの外部露出を使用時まで防ぐことで結果の正確性が向上する。
【図面の簡単な説明】
【００３８】
【図１】本発明の一実施形態に係るカバー部材と光透過部材が一体型で構成された反射式吸光度測定装置の分解斜視図である。
【図２】本発明の一実施形態に係る挿入型光透過部材を備える反射式吸光度測定装置の分解斜視図である。
【図３】本発明の一実施形態に係る反射式吸光度測定装置の斜視図である。
【図４】本発明の一実施形態に係る反射式吸光度測定装置のカバー部材の平面図である。
【図５】本発明の一実施形態に係る反射式吸光度測定装置のベース部材の平面図である。
【図６】図３のＶＩ−ＶＩ線に沿って切断した断面図である。
【図７】本発明の一実施形態に係る反射式吸光度測定装置の概略的な使用例を示した断面図である。
【図８】本発明の一実施形態に係る反射式吸光度測定装置の正面図である。
【図９Ａ】本発明の一実施形態に係るカバー部材と光透過部材一体型で構成された反射式吸光度測定及び側方流動分析一体型装置の分解斜視図である。
【図９Ｂ】本発明の他の実施形態に係る挿入型光透過部材を備える反射式吸光度測定及び側方流動分析一体型装置の分解斜視図である。
【図１０】本発明のストリップが取り付けられた本発明の一実施形態に係る反射式吸光度測定及び側方流動分析一体型装置に対する分解斜視図である。
【図１１】本発明の一実施形態に係る反射式吸光度測定及び側方流動分析一体型装置の斜視図である。
【図１２】本発明の一実施形態に係る反射式吸光度測定及び側方流動分析一体型装置のカバー部材の平面図である。
【図１３】本発明の一実施形態に係る反射式吸光度測定及び側方流動分析一体型装置のベース部材の平面図である。
【図１４】１１のＸＩＶ−ＸＩＶ線に沿って切断した断面図である。
【図１５】本発明の一実施形態に係る反射式吸光度測定及び側方流動分析一体型装置の正面図である。
【図１６Ａ】本発明の一実施形態に係る二つの反射式吸光度測定装置が左右に並んで結合した装置の斜視図である。
【図１６Ｂ】本発明の一実施形態に係る三つの反射式吸光度測定装置が上下に結合した装置の斜視図である。
【図１６Ｃ】本発明の一実施形態に係る挿入型光透過部材が用いられた二つの反射式吸光度測定及び側方流動分析一体型装置が結合した装置の斜視図である。
【図１６Ｄ】本発明の一実施形態に係る二つの反射式吸光度測定及び側方流動分析一体型装置が結合した装置の斜視図である。
【図１７】本発明の一実施形態に係る反射式吸光度測定装置、または本発明の他の実施形態に係る反射式吸光度測定及び側方流動分析一体型装置の反射式吸光度測定装置を介して測定された吸光度をＨｂ濃度に換算した結果を既存のＨｂ濃度測定結果と比較したグラフである。
【図１８】本発明の他の実施形態に係る反射式吸光度測定及び側方流動分析一体型装置において、反射式吸光度測定装置を介してＨｂ濃度を求めて、側方流動分析装置を介してＡ１ｃを測定して、ＨｂＡ１ｃ濃度に換算した結果を既存のＨｂＡ１ｃ濃度測定結果に比較したグラフである。
【図１９Ａ】図３のＶＩ−ＶＩ線に沿って、または図１１のＸＩＶ−ＸＩＶ線に沿って切断した断面図で光透過部材だけを示したもので、本発明の一実施形態に係る試料投入口及び光透過部材の下面の構造を示す断面図である。
【図１９Ｂ】本発明の一実施形態に係る開口部、試料投入口及び光透過部材下面の構造を示す断面図である。
【図１９Ｃ】本発明の一実施形態に係る試料投入口及び光透過部材下面の構造を示す断面図である。
【図１９Ｄ】は本発明の一実施形態に係る開口部、試料投入口及び光透過部材下面の構造を示す断面図である。
【図２０Ａ】図３のＶＩ−ＶＩ線に沿って、または図１１のＸＩＶ−ＸＩＶ線に沿って切断した断面で光透過部材とその周辺を示したもので、本発明の一実施形態に係る試料投入口及び突起部が形成されたカバー部材を示す断面図である。
【図２０Ｂ】図２０Ａと同じであるが、左側の試料投入口の代りにに開口部が形成された構造を示す断面図である。
【図２０Ｃ】試料投入時一時的な空気圧力が内部に形成されて試料が試料受け入れ部面で全体的に満ちてくる現象を防いで試料投入口側から満たされながら開口部側に空気層が抜け出る構造を示す模式図である。
【図２１】本発明の一実施形態に係る測定窓カバーが閉じられている状態で測定装備に挿入されながら移送ガイドに沿って動きながら測定のために開かれる作動方式を示す模式図である。
【図２２Ａ】本発明の一実施形態に係る測定窓カバーが覆われている反射式吸光度測定及び側方流動分析一体型装置斜視図である。
【図２２Ｂ】本発明の一実施形態に係る測定窓カバーが開けられている反射式吸光度測定及び側方流動分析一体型装置斜視図である。
【図２３Ａ】本発明の一実施形態に係る測定窓カバーの下面の構造を示す斜視図である。
【図２３Ｂ】図２３Ａの側面構造を示す断面図である。
【図２４】測定窓カバーの半自動開閉と係る構造を示す斜視図とその断面図である。
【図２５】本発明の一実施形態に係る測定窓カバーを含む反射式吸光度測定及び側方流動分析一体型装置の分解斜視図である。
【図２６】本発明の一実施形態に係る反射式吸光度測定及び側方流動分析一体型装置の斜視図である。
【図２７】本発明の一実施形態に係る測定窓カバーを備えた反射式吸光度測定及び側方流動分析一体型装置の斜視図である。
【図２８】本発明の一実施形態に係る図２７のＸＶ−ＸＶ線に沿って切断した反射式吸光度測定及び側方流動分析一体型装置の断面図である。
【図２９】本発明の一実施形態に係る測定窓カバーを備えた側方流動分析装置の分解斜視図である。
【図３０】本発明の一実施形態に係る測定窓カバーを備えた側方流動分析装置の斜視図である。
【図３１】本発明の一実施形態に係る図３０のＸＶＩ−ＸＶＩ線に沿って切断した側方流動分析装置の断面図である。
【発明を実施するための形態】
【００３９】
以下、本発明の実施形態を添付された図面を参照して詳細に説明する。
【００４０】
本発明の詳細な説明に先立ち、以下で説明される本明細書及び請求範囲に用いられた用語や単語は、通常または辞書的な意味で限定して解釈されてはならない。従って、本明細書に記載された実施形態と図面に示された構成は、本発明の最も好ましい一実施形態に過ぎないだけであって、本発明の技術的思想を全部代弁するものではないので、本出願時点において、これらを代替できる多様な均等物と変形例がありうることを理解しなければならない。
【００４１】
図１は、本発明の一実施形態に係るカバー部材と光透過部材が一体型で構成された反射式吸光度測定装置の分解斜視図である。図２は、本発明の一実施形態に係る挿入型光透過部材を備える反射式吸光度測定装置の分解斜視図である。図３は、本発明の一実施形態に係る反射式吸光度測定装置の斜視図である。図４は、本発明の一実施形態に係る反射式吸光度測定装置のカバー部材の平面図である。図５は、本発明の一実施形態に係る反射式吸光度測定装置のベース部材の平面図である。図６は、図３のＶＩ−ＶＩ線に沿って切断した断面図である。図７は、本発明の一実施形態に係る反射式吸光度測定装置の概略的な使用例を示した断面図である。図８は、本発明の一実施形態に係る反射式吸光度測定装置の正面図である。
【００４２】
図１〜図８に示したように、本発明の一実施形態に係る反射式吸光度測定装置１００は、試料受け入れ部１１１が形成されたベース部材１１０、前記ベース部材１１０の上端を覆うカバー部材１２０を含む。前記カバー部材１２０には、前記試料受け入れ部１１１に試料を投入する試料投入口と前記試料受け入れ部に鉛直するように光透過部材１２７が形成されて、前記試料受け入れ部は、前記光透過部材を介して入射する光を反射する反射構造を有する。
【００４３】
本実施形態の光透過部材１２７とは、光源から入射された光が試料を通過した後、底部で反射して出てくる光が通過する部位をいう。図１を参照すると、前記カバー部材と光透過部材は、一体型で製作され、この場合、カバー部材は、光透過性素材で成形されて、前記光透過部材部位を除いた残り部分の一部または全部が、光遮断できる。光遮断部材１２９は、図１の場合のように一部処理される場合、光透過部材１２７の周りが一定大きさで光遮断処理される方式で形成されるか、または、光透過部材を除いたカバー部材全部が、光遮断処理されるか、または、光遮断素材で製造できる。本実施形態で、光遮断または光遮断処理とは、光が透過できないように、光遮断素材で製造されるか、または、光が透過できないようにする手段のことであり、例えば、物理的手段及び／またはソフトウェア的な手段が用いられる。例えば、前者は、黒色で、カバー部材該当の部分を黒色で塗布、印刷、または、黒いフィルムで不透明処理したり、後者の場合、結果の判断のために本装置が用いられる判読機自身でソフトウェア的な方法を用いて光が入射された後、反射して出てくるカバー部材上の部位を判別して、この部位での入射及び反射光だけ集光、分析する方法も採用できるが、これに制限するものではない。
【００４４】
図２を参照すると、本実施形態の光透過部材１２７は、挿入型であってもよく、前記ベース部材１１０とカバー部材１２０との間に介在する。この場合、カバー部材は、光遮断特性を持つ方式、例えば黒色で製作されるか、製作後黒色で塗布、印刷またはフィルム処理される。この場合、カバー部材１２０には、試料受け入れ部１１１に鉛直するように反射光測定窓１２５が形成されて、前記光透過部材１２７は、前記反射光測定窓１２５に対応するように位置する。このような挿入型光透過部材１２７が用いられる場合にも、光透過部材を除いた残りカバー部材の一部または全部を光遮断処理する光遮断部材１２９を含んでもよい、また、この場合、カバー部材自身が光を遮断できる材質で製作されてもよい。
【００４５】
本実施形態の装置で、試料投入口１２１、１２３は、一つ以上形成されるようにする。試料投入口が一つだけ形成されていると、試料受け入れ部１１１に空気が満ちて試料３００が試料受け入れ部１１１にきちんと投入されなかったり、投入された試料３００に抜け出ることが出来なかった空気が混ざって不正確な吸光度測定が行われるため、少なくとも二つ、または、少なくとも一つの試料投入口と必要に応じて空気排出口を含むことが好ましい。従って、試料３００の投入及び必要な場合、試料の排出が容易になるようにして、正確な吸光度測定が行われるようにするために、試料投入口１２１、１２３は、複数で形成されてもよい。例えば、試料投入口１２１、１２３は、二つの試料投入口１２１、１２３で構成されてもよく、反射光測定窓１２５は、二つの試料投入口１２１、１２３の間に形成されてもよい。一具体例で二つの試料投入口を含み、反射光測定窓１２５を間に置いて、前記各々の試料投入口は、直線上に向かい合う位置にある。
【００４６】
図１、図２、及び図６を参照すると、一体型光透過部材１２７及び挿入型の場合、反射光測定窓１２５は、カバー部材１２０がベース部材１１０の上端を覆う際に、試料受け入れ部１１１と鉛直で対応する部分に形成される。光透過部材１２７と反射光測定窓１２５が二つの試料投入口１２１、１２３の間に形成されると、試料受け入れ部１１１も二つの試料投入口１２１、１２３の間に位置することになる。各々の試料投入口１２１、１２３の大きさは同じであっても異なってもよい。試料投入口１２１、１２３の大きさが異なる場合、大きさが大きい試料投入口１２１の方が、試料の主要投入口になって、大きさが小さい試料投入口１２３の方は、試料が荷積される時、試料受け入れ部１１１に存在する空気が排出されるようにするなどの役割を果たせる。
【００４７】
このような側面から、本実施形態は、試料投入口以外に開口部１４０をさらに含むことができる。図１９Ｂを参照すると、一具体例として、本実施形態の装置は、一つの試料投入口及び開口部１４０を含み、前記開口部は、前記光透過部材を間に置いて、前記試料投入口と向かい合う直線上の位置に形成されて、相対的位置が変わってもよい。本実施形態の開口部は、試料投入口に試料が投入されると、試料が受け入れ部面全体に満ちてくる現象を防ぐことができる。即ち、試料が試料投入口側から徐々に満ちていって、内部圧力が開口部１４０を介して排出されて、試料の流れを試料投入口の入口から開口部側に誘導する現象が起きて、試料受け入れ部内の空気層が除去される。その結果、空気層形成による吸光度測定時の問題点が解決できる。このような機能をする限り、本実施形態の開口部は、特定の大きさ及び形に限定されることはない。一具体例で、本実施形態の開口部１４０は、径が約０．１〜２ｍｍであってもよい。
【００４８】
図６及び図７を参照すると、ベース部材１１０をカバー部材１２０で覆うと、その境界面１３０で互いに嵌合して閉じられることになって（ｉｎｔｅｒｌｏｃｋｉｎｇ）、実質的にウォータープルーフ（ｗａｔｅｒ  ｐｒｏｏｆ）、エアロゾルプルーフ（ａｅｒｏｓｏｌ  ｐｒｏｏｆ）シール（ｓｅａｌ）になる。
【００４９】
本実施形態で、試料３００とは、本実施形態の装置に用いられる分析対象物を含む物質のことで、液体状または液体と類似の流動性物質、例えば、各種固形組織／細胞、血液、血清、血しょう、唾液、小便、汗、体毛、間質または細胞内体液、または、それから抽出された物質などを含み、または、周りの環境（例えば、大気、土壌、水など）から収集された物質など種々の物質を含む。例えば、これに制限するものではないか、血液、尿、唾液などを含み、血液は全血、血しょう、血清や所定の処理（例えば、凝固防止）がなされた血液、血しょう、血清などがこれに該当する。組織または細胞の抽出物は、例えば、炭水化物、脂質、核酸、タンパク質などから選択される。前記分析対象物は、例えば、これに制限するものではないか、種々の疾患と関連するマーカー、例えばヘモグロビン（Ｈｂ）、ＣＲＰ（Ｃ−Ｒｅａｃｔｉｖｅ  Ｐｒｏｔｅｉｎ）、ＰＳＡ（Ｐｒｏｓｔａｔｅ  Ｓｐｅｃｉｆｉｃ  Ａｎｔｉｇｅｎ）、ＡＦＰ（ａｌｐｈａ−Ｆｅｔｏ  Ｐｒｏｔｅｉｎ）、ＣＡ−１２５（Ｃａｎｃｅｒ  Ａｎｔｉｇｅｎ  １２５、ＣＡ１９−９、微細アルブミン、ＨｂＡ１ｃ（Ｈｅｍｏｇｌｏｂｉｎ  Ａ１ｃ）、ｃＴｎ−Ｉ／Ｔ（Ｃａｒｄｉａｃ  Ｔｒｏｐｏｎｉｎ  Ｉ及びＴ）、総コレステロール、クレアチニン、グルコース、尿酸、ＧＰＴ（Ｇｌｕｔａｍｉｃ  Ｐｙｒｕｖｉｃ  Ｔｒａｎｓａｍｉｎａｓｅ）、ＧＯＰ（Ｇｌｕｔａｍｉｃ  Ｏｘａｌｏａｃｅｔｉｃ  Ｔｒａｎｓａｍｉｎａｓｅ）等を含む。
【００５０】
また、図１、図２、図５、図６、及び図７に示したように、試料受け入れ部１１１は、光透過部材１２７を介して入射される光源４００を反射させる底部１１１ａを含んでもよい。
【００５１】
本実施形態の底部１１１ａは、前記ベース部材の試料受け入れ部に別に備えられたり、または前記ベース部材または試料受け入れ部自身を反射特性がある材質で製作したりすることによって備えられてもよい。後者の場合、前記ベース部材または試料受け入れ部自身の全部または一部が、反射材質で製作されてもよい。本実施形態の底部は、光透過部材を介して入射した光を反射して、ここで反射は正反射または乱反射を含む。一具体例では乱反射である。本実施形態の底部１１１ａまたは上述した反射特性を持つベース部材または試料受け入れ部は、光透過部材１２７を介して入射される光源４００を反射させることができる素材、特に乱反射させることができる素材が用いられてもよい。その素材は、光源４００の種類によって適切に選択されてもよい。例えば、光源４００としてＬＥＤやレーザー（ｌａｓｅｒ）が用いられる場合、反射物質としては任意の白色系列のポリマー材料が用いられ、例えばＡＢＳ（Ａｃｒｙｌｏｎｉｔｒｉｌｅ、Ｂｕｔａｄｉｅｎｅ、Ｓｔｙｒｅｎｅ）、ＰＳ（Ｐｏｌｙｓｔｙｒｅｎｅ）、ＰＥ（ｐｏｌｙｅｔｈｙｌｅｎｅ）、ＰＰ（Ｐｏｌｙｐｒｏｐｙｌｅｎｅ）等が用いられてもよい。または、正反射特性を持つなめらかな反射面、例えばアルミ、チタニウム、またはクロニウムなどの金属類が用いられてもよい。但し、上述した反射物質は、例示的に提示されたものであり、底部１１１ａの素材はこれに限定されない。
【００５２】
例えば、図７を参照すると、光源４００から照射される光は、光透過部材１２７を介して試料３００に入射された後、透過式で測定する吸光度とは異なって、底部１１１ａから反射されて、再び光透過部材１２７を介して外に進めた後、光検出器を介して集光される。
【００５３】
また、図６と図１９Ａを参照すると、試料３００は、試料投入口１２１、１２３を介して試料受け入れ部１１１に投入されるが、試料３００が投入されると、図６の（ａ）のように試料が、試料受け入れ部１１１に受容されることになる。この時、受容された試料３００の高さが、図６の（ｂ）に示したように光透過部材１２７の下面と同じであるか、それより高いようにして、光透過部材の下面１２７ｂ全体に試料が満ちて空気層が介入しないようにする。図７を参照すると、光源４００から光透過部材１２７を介して照射された光が、試料３００を通過して試料受け入れ部１１１の底部１１１ａに到達して反射して出る時、試料３００が光透過部材１２７の下面より同じか高く形成されていなければ、均一な厚さに対する吸光度を測定することができない。本実施形態の一具体例では、試料投入口１２１、１２３中１ヶ所を介して試料受け入れ部１１１を満たす場合、受容された試料３００の高さが、光透過部材１２７の下面と同じかそれより高いように製作される。
【００５４】
また、前記のように高さを合わせる限り、毎度測定する度、ピペットを利用して荷積される試料３００の体積を従来のように１μｌ単位まで正確に計量する必要がなく、正確な定量しないことによる誤差を減らすことができて、ユーザーにとって便利な長所がある。即ち、試料３００を少なくとも光透過部材１２７の下面まで満たせば、試料受け入れ部１１１に荷積される試料３００の体積が決定されるので、使用がずっと便利になる。例えば、ユーザーがピペットで一定量の試料３００を採取した後、試料受け入れ部１１１を満たす線まで試料を荷積するができる。荷積される試料の体積は、本実施形態の装置の具体的な大きさにより変わるが、本実施形態の装置が判読機としてｉ−Ｃｈｒｏｍａ（ボディテックメド株式会社、韓国）に使えるように製作される場合、装置の大きさはこれに制限されるものではないが、略１．５ｃｍ（横）、４ｃｍ（縦）、０．４ｃｍ（高さ）であり、この時の荷積される試料の体積は、約５０μｌ〜約２５０μｌの範囲であってもよく、特に約１００μｌである。
【００５５】
この時、本実施形態の装置の大きさは、反射式吸光度測定装置１００の大きさを意味して、後述する反射式吸光度測定及び側方流動分析一体型装置２００の大きさは、略１．５ｃｍ（横）、９．３ｃｍ（縦）、０．４ｃｍ（高さ）となってもよいが、これに制限されるものではない。
【００５６】
本実施形態の光透過部材１２７及び反射光測定窓１２５の大きさは、本実施形の態装置の具体的な大きさや光源４００及び光検出器５００の条件、光透過部材１２７の材質などにより異なるように設定されてもよいが、例えば本実施形態の装置がｉ−Ｃｈｒｏｍａ（ボディテックメド株式会社、韓国）に使えるように製作される場合、反射光測定窓１２５の大きさは、略０．５ｃｍ（横）、０．７ｃｍ（縦）であってもよい。
【００５７】
他の様態で、本実施形態の装置は必ずしも受容された試料３００の高さが光透過部材１２７の下面１２７ａと同じであるかそれより高いようにしなければならないわけのではなく、下面の構造及び試料３００の種類によって異なるように調整されてもよい。図１９Ａ及び図１９Ｂのように、光透過部材下面１２７ｂの構造が平らであるか、または、図１９Ｃは、図１９Ｄのように、光透過部材下面１２７ｂが上側に突出した構造を持ってもよい。後者の場合、試料受け入れ部と光透過部材下面との間の間隔（「３」：図中の○３を示す。）が増加して、光透過部材の下面１２７ｂが、試料の高さ（「１」：図中の○１を示す。）より高くなる。特に、試料の種類によって前記間隔が広いことが、試料に含まれた特定成分の正確な濃度測定のために必要な場合があって、この場合、前記の通りに変形された下面の構造が有用に用いられる。
【００５８】
光透過部材の下面から試料受け入れ部までの間隔は、試料の種類及び／または検出する成分の種類及び／または量、検出の敏感度及び／または特異性などにより変わることがあり、また具現される装置の高さにより変わることがある。本実施形態の一具体例で、光透過部材下面から試料受け入れ部までの間隔は、約０．５〜１０ｍｍであってもよい。一具体例では、約０．５〜３．０ｍｍである。他の具体例では、約１〜２ｍｍである。
【００５９】
図１９Ｃ及び図１９Ｄを参照すると、光透過部材１２７両側の高さ（「２」（：図中の○２を示す。）及び「４」（：図中の○４を示す。））は、異なっても同じであってもよい。本実施形態の一具体例では、左右の高さが異なり、本理論に限定しようとするものではないが、この場合、試料の圧力及び／または「２」空間によりできた毛細管現象で光透過部材下面に空気層が形成しない方式で試料が移動することになる。前記「２」空間による毛細管現象で試料の移動が開始されて、投入される試料量の増加により試料の圧力が大きくなると、試料の特性上、形成された面に沿って試料投入口側から徐々に空間「３」を満たす現象が起きて、気泡の生成が抑制される。
【００６０】
前記のような変形された下面を持つ光透過部材も一つ以上の試料投入口１２１、１２３、または開口部１４０と組合わせて用いられてもよい。図１９Ｃ及び図１９Ｄを参照すると、光透過部材１２７を間に置いて、各側に一つの試料投入口が形成されているか、または、各々一つの開口部と一つの試料投入口が形成されている。後者の場合、開口部と関連して前述したように、試料投入口側から試料が徐々に満ちて、内部圧力は開口部を介して排出されながら空気層が除去される効果を示す。
【００６１】
他の様態で、本実施形態の吸光度測定装置は、突起状の突起部１５０をさらに含んでもよい。本実施形態の突起部１５０は、試料受け入れ部１１１を満たした試料が装置などの移動による外部力が与えられる場合、移動方向とは反対方向の力が与えられることになり、図２０Ａ及び図２０Ｂの矢印の方向のような試料偏り（揺れ）現象が起きて、これによって試料投入口側の試料面が上昇して、光透過部材の下面に空気層が形成されることになる。本実施形態の突起部１５０は、このような現象を防ぐことができて、本理論に限定するのではないか、突起部１５０は、試料の移動とは反対方向に毛細管現象を起こせる構造で試料の逆流を妨げて試料の偏り現象（揺れ）を防ぐことができる。図２０Ａ及びＢを参照すると、突起部１５０は、光の入射を妨げない方式で光透過部材の下面と隣接したカバー部材下面に形成されてもよい。また、前記のような機能を持つ限り多様な構造が採用され、特定型に限定されるものではない。
【００６２】
本実施形態の突起部１５０が備えられた装置の場合でも、図２０Ａ〜図２０Ｃのように、一つ以上の試料投入口１２１、１２３または開口部１４０と組合わせて用いられる。即ち、光透過部材１２７を間に置いて、各側に一つの試料投入口が形成されているか、または、各々一つの開口部と一つの試料投入口が形成されている。後者の場合、開口部と関連して前述した通り、試料投入口側から試料が徐々に満たされて、内部圧力は、開口部を介して排出されながら空気層が除去される効果を示し、突起部１５０が用いられた場合、偏り現象による空気層形成が防げる効果もある（図２０Ｃ参照）。
【００６３】
他の様態で、本実施形態はまた、本実施形態に係る反射式吸光度測定装置１００のカバー部材１２０の上側に配置される光源４００、そして光源４００から光透過部材１２７を介して試料受け入れ部１１１に照射された後反射して出てくる光の量を計測するようにカバー部材１２０の上側に配置される光検出器５００を含むシステムに関するものである。本実施形態のシステムは、反射式吸光度測定のためのもので、透過式の吸光度測定と比較して、光源、検出器の配列が容易で、これらが同側に位置できて、システムの小型化が可能な長所がある（図７参照）。
【００６４】
この時、光源４００は、一つまたは、必要に応じてそれ以上が備えられる。光源としては、例えばこれで制限するものではないか、ＬＥＤ（Ｌｉｇｈｔ  Ｅｍｉｔｔｉｎｇ
Ｄｉｏｄｅ）、ＵＶ（Ｕｌｔｒａ  Ｖｉｏｌｅｔ）、レーザーが用いられる。例えば、ヘモグロビン測定時には、５４０ｎｍ波長のＬＥＤが用いられる。しかし、測定対象により多様な波長の使用が可能で、例えば核酸及びタンパク質の測定には、２５５〜３８０ｎｍ帯域のＵＶ光源が用いられる。光検出器５００によって計測された反射光量は、公示された方法により測定しようとする対象物の濃度に換算されることができる。
【００６５】
尚、光検出器５００は、光源４００が存在する鉛直線上でずれるように配置されることを特徴とする。表面反射光、即ち光透過部材１２７の対面や下面で反射する光の影響を極力抑えるほど吸光度測定の正確性が高くなれる。このためには、図７に示したように光源４００と光検出器５００は、同じ鉛直線上にないように光源４００を光検出器５００に対しずらして配置することが好ましい。ここで、ずらして配置することは、同じ鉛直線上にないように配置することを意味する。従って、同じ水平線上にあるように配置されることも同じ鉛直線上にないようにずらして配置されることであるため、本発明の一実施形態に含まれてもよい。
【００６６】
また、光透過部材１２７及び反射光測定窓１２５は、カバー部材１２０上で一方向に延びて形成されて、試料受け入れ部１１１は、ベース部材１１０上で一方向に延びて形成されることを特徴とする。
【００６７】
即ち、表面反射光の影響を極力抑えるために、光源４００と光検出器５００の配置をより自由にできるように、光透過部材１２７、反射光測定窓１２５と試料受け入れ部１１１が一方向に長く形成されるようにすることができる。これにより、光源４００と光検出器５００は、一方向と並んでいる方向に沿って表面反射光の影響を極力抑えることができるように配置できる。この時、光源４００と光検出器５００は、互いに同じ鉛直線上には配置されないことが好ましいことは、上述したとおりであり。このように光透過部材１２７、反射光測定窓１２５と試料受け入れ部１１１が、一方向に長く延びて形成されるようにすることによって、与えられる光源４００の位置をより広範囲に収容できることになる。即ち、吸光度測定時光源４００の位置により本実施形態の装置がセッティングできる範囲がより広くなりうる。
【００６８】
本実施形態の反射式吸光度測定装置１００は、判読機の種類に合わせて種々の形態及び大きさで製造される。例えば、長い棒、または長方形の形態で製造されることができて、このような形態の装置を収容できる種々の吸光度測定装備（判読機）で用いられ、大きさもこれに合わせて多様に製作されることができる。本実施形態の反射式吸光度測定装置１００は、反射式で吸光度を測定する判読機に広く用いられ、例えばこれに制限するものではないが、ｉ−Ｃｈｒｏｍａ（ボディテックメド株式会社、韓国）が挙げられ、血液凝固装備（ｃｏａｇｕｌｏｍｅｔｅｒ）等にも適用可能である。
【００６９】
本実施形態の吸光度測定装置は、図１〜図８に示したように、四角ホール１２０ａをさらに含んでもよく、四角ホールがない形態で製作されて用いられてもよい。四角ホールを解した四角形状１１０ａは、背景値補正（ｂａｃｋｇｒｏｕｎｄ  ｃａｌｉｂｒａｔｉｏｎ）のための信号を発生させる標準反射版の役割に果たせ、四角ホール１２０ａと四角形状１１０ａは、ベース部材１１０とカバー部材１２０が嵌合するようにする物理的に構造的な補助の役割も果たせる。
【００７０】
また、半円形突出部１２０ｂは、本実施形態の装置を掴みやすくする部分になりうる。このような事項は、後述する本発明の他の実施形態に係る反射式吸光度測定及び側方流動分析一体型装置において、図９〜図１６、図２２、図２５〜図３１に示された四角ホール１２０ａ、四角形状１１０ａ、半円形突出部１２０ｂにも同様に適用されることができる。
【００７１】
他の様態で、本実施形態はまた、本実施形態の吸光度分析装置は、いくつかが同時に物理的に多様な組み合わせで結合して用いられる複合式吸光度分析装置に関するものである。図１６Ａ及び１６Ｂを参照すると、一具体例では、二つの吸光度分析装置が並んで左右に配列された方式で組合わせて用いられる。他の具体例では、三つが上下に一直線状に配列された方式で組合わせて用いられる。
【００７２】
さらに他の様態で、本実施形態は、側方流動分析用装置に関し、本装置はストリップ受け入れ部が形成されたベース部材；前記ベース部材の上端を覆う、試料投入口及び測定窓が形成されたカバー部材；及び前記測定窓を開閉できる測定窓カバーを含み、前記試料投入口は、前記ストリップ受け入れ部に取り付けられたストリップに試料を投入できて、前記測定窓カバーは、前記測定窓を閉じた状態で前記ストリップ受け入れ部に鉛直するように位置する、側方流動分析装置を提供する。
【００７３】
本実施形態で、前記測定窓カバーは着脱式であり、測定窓カバーの開閉は前後に押して用いる摺動方式、または上下方向に動かして開閉する方式で開閉できる。一具体例では、摺動方式が採用されて、図２１を参照すると、判読装備に挿入時測定窓カバーは、自動で押されて開かれることになる。このような測定窓カバーは、側方流動装置のストリップ受け入れ部を開閉できる限り多様な形が採用されることはいうまでもない。測定窓カバーの用途及び構造と関しては後述するところを参照すると良い。
【００７４】
他の様態で、本実施形態は、本実施形態に係る反射式吸光度測定、及び本実施形態に係る側方流動分析装置を含む一体型装置に関する。ここで、本発明の実施形態を説明するための全体図面において、同じ機能を持つものは同じ符号を付けて、それに対する詳細な説明は省略する。また、上述した反射式吸光度測定装置１００が、本発明の他の実施形態に係る反射式吸光度測定及び側方流動分析一体型装置２００に含まれる場合には、図９以下で図面符号２１０を付与する。
【００７５】
図９は、本発明の他の実施形態に係る光透過部材が一体型、または挿入型になった反射式吸光度測定及び側方流動分析一体型装置の分解斜視図で、図１０は、一体型になった光透過部材を持つカバー部材及びベース部材のストリップ受け入れ部２２５にストリップ６００が挿入された状態の分解斜視図で、図１１は、本発明の他の実施形態に係る反射式吸光度測定及び側方流動分析一体型装置の斜視図である。
【００７６】
また、図１２は、本発明の他の実施形態に係る反射式吸光度測定及び側方流動分析一体型装置のカバー部材の平面図で、図１３は、本発明の他の実施形態に係る反射式吸光度測定及び側方流動分析一体型装置のベース部材の平面図である。
【００７７】
図１４は、図１１のＸＩＶ−ＸＩＶ線に沿って切断した断面図で、図１５は、本発明の他の実施形態に係る反射式吸光度測定及び側方流動分析一体型装置の正面図である。
【００７８】
図９〜図１５及び図２２〜図２８に示されたように、本発明の他の実施形態に係る反射式吸光度測定及び側方流動分析一体型装置２００は、前述のように試料３００の吸光度測定だけでなく、試料３００中に含まれている目標分析物（ａｎａｌｙｔｅ）を定量または定性的に測定する側方流動分析（ｌａｔｅｒａｌ  ｆｌｏｗ  ａｓｓａｙ）が共に行われる反射式吸光度測定及び側方流動分析一体型装置２００である。一体型装置は、吸光度測定装置と側方流動分析装置が物理的に連結されていることを意味するもので、前述した反射式吸光度測定装置２１０、そして前記反射式吸光度測定装置２１０と隣り合って配置される側方流動分析装置２２０を含む。隣り合って配置される形態は、用いられる判読機の構造／形に合わせて多様に製作される。例えば、本実施形態の一具体例では、反射式吸光度測定装置２１０と側方流動分析装置２２０が、図９〜１５に示されたように長さ方向に前と後（または、後と前）に位置した一直線状に形成されるか、図面には示されなかったが、吸光度測定装置と側方流動分析装置が、左右に並んで配置された形態で形成される。
【００７９】
本実施形態で、一直線状に配置されるとは、装置の長辺方向、即ち長さ方向に沿って配置されことを意味して、並んで配置されるとは、装置の短辺方向、即ち横方向に沿って配置されることを意味する。
【００８０】
また、反射式吸光度測定装置２１０及び側方流動分析装置２２０は、各々一つ以上であってもよい。例えば、反射式吸光度測定装置２１０は二つ、側方流動分析装置２２０は一つ形成されてもよい。例えば、本実施形態の一具体例で、一体型装置は、一つの側方流動分析装置２２０と二つの反射式吸光度測定装置２１０を含んでもよい。これらが一直線状に配置される場合には、一つの側方流動分析装置２２０を中ほどに置いて、二つの反射式吸光度測定装置２１０を各々前後に配置することができる。或いは、一つの側方流動分析装置２２０を中ほどに置いて、二つの反射式吸光度測定装置２１０を各々左右に配置したり、側方流動分析装置２２０を最も前（または、最も後ろ）に配置して、二つの反射式吸光度測定装置２１０をその後ろ（または、その前）に一列に配置することもできる。或いは、一つの側方流動分析装置２２０を左側（または、右側）に置いて、二つの反射式吸光度測定装置２１０をその右側（または、その左側）に並べる形態で配置することができる。この他にも、各々一つ以上備えられる反射式吸光度測定装置２１０及び側方流動分析装置２２０は、用いられる判読機の構造／形に合わせて多様に配置されることができる。
【００８１】
また、図１６Ｃ及び１６Ｄは、本発明のさらに他の実施形態に係る反射式吸光度測定及び側方流動分析一体型装置の斜視図で、前者は、挿入型光透過部材を採用した装置で、後者は、一体型光透過部材を採用した装置である。
【００８２】
反射式吸光度測定装置２１０及び側方流動分析装置２２０は、各々二つ以上であってもよい。例えば、図１６Ｂ及び１６ｃに示したように、反射式吸光度測定装置２１０と側方流動分析装置２２０は、各々二つで、二つの中一つの反射式吸光度測定装置２１０及び一つの側方流動分析装置２２０は、一直線状に配置されて、残りの一つの反射式吸光度測定装置２１０及び一つの側方流動分析装置２２０も一直線状に配置されて、前記一直線状に配置された二つの反射式吸光度測定装置２１０及び側方流動分析装置２２０は、並んで配置されることができる。言い換えると、左右に並んで配置された反射式吸光度測定装置２１０と同じく左右に並んで配置された側方流動分析装置２２０が、前後順（または、前後の逆順）で一直線状に並んだ配置を持つことができる。
【００８３】
このように、反射式吸光度測定装置２１０と側方流動分析装置２２０が一体で形成されて、側方流動分析と吸光度測定が一つの装置２００で共に行われることによって、側方流動分析情報と吸光度測定情報の測定がより迅速かつ容易に行われる。
【００８４】
また、図９〜図１６及び図２２、図２５〜図２８に示されたように、本実施形態の吸光度及び側方流動分析一体型装置は、上述した本実施形態の反射式吸光度測定装置の一方向に延びて形成されるカバー部材とベース部材を含む側方流動分析装置を含み、前記延びて形成されるカバー部材には第２試料投入口及び測定窓が形成されて、前記延びて形成されるベース部材にはストリップ受け入れ部が形成される。本実施形態に係る一具体例で、図２２〜図２７等に示されたように、前記第２試料投入口は、前記反射式吸光度測定装置の前記カバー部材に形成された試料投入口と隣接して配列されてもよい。
【００８５】
一方、側方流動分析（ｌａｔｅｒａｌ  ｆｌｏｗ  ａｓｓａｙ）は、試料３００に含まれた目標分析物（ａｎａｌｙｔｅ）を定量または定性的に測定する方法で、例えば特定位置に特定抗体及び／または抗原が結合している
ニトロセルロース膜に試料を適用して、クロマトグラフィー法で移動させて、抗原抗体反応を介して試料中の特定タンパク質を検出する。
【００８６】
図１１を参照すると、反射式吸光度測定装置２１０と側方流動分析装置２２０全般にわたって形成されるベース部材１１０にカバー部材１２０を覆うと、その境界面２３０で互嵌合して閉じられることになって（ｉｎｔｅｒｌｏｃｋｉｎｇ）、実質的にウォータープルーフ、エアロゾルプルーフ、シール（ｓｅａｌ）になる。
【００８７】
図９〜図１５、図２２及び図２５〜図２８を参照すると、基本的に側方流動分析装置２２０は、反射式吸光度測定装置２１０と隣り合って配置されて、カバー部材１２０に形成された別途の第２試料投入口２２１及び測定窓２２３とベース部材１１０にはストリップ６００を収容できるストリップ受け入れ部２２５を含む。測定窓２２３は、ストリップ受け入れ部に取り付けられたストリップで側方流動分析結果から発生する反応結果、例えば抗原−抗体結合の有無を測定／確認する窓（ｗｉｎｄｏｗ）でありうる。
【００８８】
本実施形態の一具体例で、本実施形態の側方流動分析装置２２０は、測定窓カバー２４０をさらに含んでもよい。
【００８９】
本実施形態の測定窓カバーは、ストリップ受け入れ部に位置したストリップを保護する役割を果たす。本実施形態のストリップは、側方流動分析に用いられる公示の膜であり、例えば、ニトロセルロース膜を含むか、これで制限するものではない。例えば、運送途中損傷防止、ユーザーの誤りによるストリップへの試料投入防止、外気温差から発生する内部の湿膜現象防止、スクラッチ、または汚れからストリップを保護することができる。
【００９０】
図２２Ａ及び図２２Ｂを参照すると、測定窓カバー２４０は、カバー部材１２０に付着しており、開閉可能な方式で、使わない場合には測定窓２２３を覆っている状態であるが、側方流動分析後、反応結果測定のために測定装備に本実施形態の装置を挿入すると、摺動方式で開かれる半自動の構造であってもよく、または、手で開閉可能な構造であってもよい。
【００９１】
図２１、２２Ａ及び２２Ｂを参照すると、本実施形態の測定窓カバー２４０は、開閉式で、摺動方式、または、上方向に引いて開けて、開けられたカバーを下げて閉じる開閉方式を含むが、これで制限するものではない。前者の場合、使用時まで測定窓カバー２４０が、測定窓上部を覆っている状態であり、側方流動分析後、反応結果確認のために、検出装備に挿入時自動で開かれて、後者の場合、検出装備挿入前にカバーを手動で取り除くことができる。
【００９２】
一具体例では、摺動方式であり、摺動方式の場合、上述したように、側方流動分析後、検出装備に本実施形態の装置挿入前にカバーを手動で押して測定窓部位を露出した後、検出装備で用いられるか、または、図２１に示されたように機械に挿入時自動で開かれる方式が採用されてもよい。
【００９３】
図２１を参照すると、使用前に測定窓カバー２４０は、ハウジングホルター７００の内部の厚さよりも高いところに安着されて覆われており、検出装備に挿入時、測定窓カバー２４０が、ハウジングホルダーに係止されながら、カバー部材１２０の両側に成形されているカバー移送ガイド２６０に沿って進みながら、ハウジングホルター７００の厚さと一致するように安着され、ストリップ受け入れ部に位置したストリップ６００は完全に露出する。即ち、検出装備に挿入時、構造上自動で開閉される半自動方式が採用されてもよい。
【００９４】
図２３及び図２４を参照すると、測定窓カバー２４０が、半自動開閉のための摺動方式で作動する場合、測定窓カバー２４０に摺動に必要な構造が形成されて、カバー部材の両側面にもカバーの摺動のための移送ガイド２６０が形成される。
【００９５】
図２３を参照すると、測定窓カバー２４０には移送ガイド２６０に沿って移動できる第１及び第２ガイド突起２４１ａ、２４１ｂが形成されて、第２ガイド突起２４１ｂが、第１ガイド突起２４１ａより下側に形成されて摺動時の下方向に安着できるようにする。止め突起２４５は、測定窓カバー２４０が測定窓を覆っている状態でカバー部材に取り付け時カバー部材に位置した相応する溝（図示せず）に安着して、小さな衝撃ではカバーが離脱できない役割を果たす。係止段２４３は、カバーが後ろに移送安着した場合、ストリップ受け入れ部への移動を防ぐ傾斜溝または直角溝が両端に形成されている。受け入れ溝２４７は、第２試料投入口２２１への試料投入量を調節するための段差構造である。
【００９６】
図２４を参照すると、摺動方式の半自動開閉のためのカバー移送ガイド２６０がカバー部材の両側に形成される。
【００９７】
具体的には、第１ガイド 溝２６１は組み付け時測定窓カバー２４０を安着させるための溝構造で、摺動のためのレール２６５が側面長さに沿って形成されている。第２ガイド溝２６３は、測定窓カバー２４０が移動して安着時逆方向への移動を防ぐ構造で、測定窓カバー２４０に形成された係止段２４３の両端ンに形成された傾斜溝に係止する構造である。さらに、安着した測定窓カバーの離脱を防ぐ第４ガイド
溝構造２６９が形成されている。第３ガイド溝構造２６７は、測定窓カバー２４０が移動しながら、第２試料投入口２２１に係止するのを防ぎスムーズな移動のための構造である。
【００９８】
本実施形態に係る一体型装置に含まれた側方流動分析装置は、図２９〜図３１に示されたように、独立的に製作されて用いられてもよい。本実施形態の側方流動分析装置は、上述したように、開閉が可能な測定窓カバーを含み、その特徴、作動方式及び用途は上述したとおりである。
【００９９】
本実施形態の図１〜図１６、及び図１９〜図３１の装置は、例示的なものであり、これに採用された各部分の形状も例示的であり、多様な形状が採用できることは当業者にとって明らかである。
【０１００】
本実施形態の吸光度測定装置、側方流動分析装置、及びこの二つを含む一体型装置は、化学的に安定した合成樹脂、及びこれらの組み合わせで作られてもよい。例えば、これで制限するものではないが、ポリエチレン、ポリプロピレン、ポリスチレン、ポリエチレンテレフタレート、ポリアミド、ポリエステル、ポリ塩化ビニール、ポリウレタン、ポリカーボネート、ポリ塩化ビニリデン、ポリテトラフルオロエチレン、ポリエーテルイミドのような熱硬化性及び熱可塑性の多様なプラスチック及びこれらの組み合わせを用いて、公示された成形方法を利用して製造できる。但し、必ずしもこれに制限されるものではなく、本実施形態の装置の目的に適した材質であれば、いずれも使用可能である。また、本実施形態の装置は、公示された多様な成形方法、例えばこれに制限するものではないが、材質の種類によって、射出、回転、圧出、及び／またはカレンダー法を利用して製造されてもよい。本実施形態の一具体例で、本実施形態の装置は、カバー部材及びベース部材は、ＡＢＳ樹脂（Ａｃｒｙｌｏｎｉｔｒｉｌｅ、Ｂｕｔａｄｉｅｎｅ、Ｓｔｙｒｅｎｅ）、透明な材質が必要な場合、アクリルを射出成形して製造される。当業者であれば、本実施形態の装置を製造するために、公示された多様な物質及び成形方法から、本実施形態の目的に適した材料及び成形方法を選択できるであろう。また、前記合成樹脂以外に本実施形態の目的に適した装置を製造するための多様な添加剤、例えば充填剤、可塑剤、安定剤、着色剤、静電気防止剤などが必要に応じて用いられる。
【０１０１】
本実施形態の側方流動分析は、例えば免疫クロマトグラフィー分析を利用したものである。本実施形態の側方流動分析装置２２０には公示された多様なストリップ６００（図９参照）が用いられ、これに制限するものではないが、例えば、韓国公開特許２００９−０００６９９９、または２００５−００７２０１５に記載されたのが用いられる。前記特許文献に記載された側方流動分析のストリップ構造を調べると、試料が適用されるサンプルパッド（ｓａｍｐｌｅ  ｐａｄ）、探知用抗体がコーティングされている放出パッド（ｒｅｌｅａｓｉｎｇ  ｐａｄ）、試料が移動して分離して抗体抗原反応が起きる展開用膜（主に、ニトロセルロース）、またはストリップ、さらに試料が移動し続けるための吸収パッド（ａｂｓｏｒｐｔｉｏｎ  ｐａｄ）が挙げられる。
【０１０２】
探知用抗体は、探知を標識するために、例えばコロイド性金粒子に固定されている。金粒子の代わりにラテックスピーズ（ｌａｔｅｘ  ｂｅａｄ）、または、炭素粒子を用いてもよい。側方流動分析用診断キットは、通常サンドイッチ形態で分析物を探知するように考案されている。液体試料の中に入っている分析物は、サンプルパッドに適用されて、移動し始めると、まず放出パッドに非固定的にコーティングされている探知用抗体と反応して抗原−抗体結合体形態で展開し続ける。移動しながら展開膜に固定されている捕獲抗体ともう一度反応して、サンドイッチ形態の複合体を作る。捕獲抗体は、展開膜に固定されているため、抗原−抗体反応が継続して起きると、複合体の蓄積が捕獲抗体の固定面で行われる。タンパク質は、目視では、透明であるため、複合体の生成可否と相対的な量を付着した金粒子、または銀粒子の量で判断する。
【０１０３】
本実施形態の一体型装置２００は、長方形形態で製造されてもよく、このような長方形形態の装置を収容できる多様な吸光度測定装備（判読機）で用いられ、大きさもこれに合わせて多様に製作されることができる。本実施形態の一体型装置２００が用いられる装備は、例えばこれに制限するものではないが、ｉ−Ｃｈｒｏｍａ（ボディテックメド株式会社、韓国）やＴｒｉａｇｅ  Ｓｙｓｔｅｍ（Ｂｉｏｓｉｔｅ社、スウェーデン）、Ｔｒｉａｇｅシステム（Ｂｉｏｓｉｔｅ社）、ＲＡＭＰシステム（Ｒｅｓｐｏｎｓｅ Ｂｉｏｍｅｄｉｃａｌ社、カナダ）が挙げられ、側方流動方法を用いるいずれの測定手法において吸光度方法を測定する対象を追加しようとする場合に、いずれも適用可能である。
【０１０４】
反射式吸光度測定装置２１０は、吸光度測定を利用した多様な生物学的物質の検出及び／または定量に用いられる。例えば、これに制限するものではないが、ヘモグロビン（Ｈｂ）、微生物、タンパク質及びＤＮＡ、その他酵素／触媒の添加による化学反応による色の変化、物質の生成／変化などを検出する吸光度測定、例えば水質汚染度（ＢＯＤ、ＣＯＤ）、ＧＰＴ／ＧＯＴ（肝機能）検査、ＮＡＤＨ生成を利用した酵素活性も検査（例:ＡＤＨ ａｌｃｏｈｏｌ ｄｅｈｙｄｒｏｇｅｎａｓｅ、坑酸化活性も）等が挙げられる。
【０１０５】
側方流動分析装置２２０で測定できる情報は、これに制限するものではないが、ｈｓＣＲＰ（ｈｉｇｈ ｓｅｎｓｉｔｉｖｉｔｙ  Ｃ−ｒｅａｃｔｉｖｅ  ｐｒｏｔｅｉｎ）、ＭｉｃｒｏＣＲＰ、ＨｂＡ１ｃ（糖化血色素）、ｍｉｃｒｏａｌｂｕｍｉｎ、ＰＳＡ（ｐｒｏｓｔａｔｅ  ｓｐｅｃｉｆｉｃ  ａｎｔｉｇｅｎ）、ＡＦＰ（Ａｌｐｈａ−ｆｅｔｏｐｒｏｔｅｉｎ）、ｃＴｎＩ（Ｃａｒｄｉａｃ  Ｔｒｏｐｏｎｉｎ  Ｉ）等がある。側方流動分析の場合、測定値の精度のために、測定値に対し所定の補正、例えばＨｂ補正をお行うことになるが、本実施形態の一体型装置を用いると、このような情報を一度の測定で得られる。例えば、従来はＨｂＡ１ｃ検査を側方流動を利用したＡｌｃ検査と、吸光度を利用したヘモグロビン検査を別々に行った。しかし、本実施形態の一体型装置を用いる場合、このような検査を一度に行って総合的情報を収得することができる。例えば、本実施形態の一体型装置を判読機、例えばｉ−Ｃｈｒｏｍａに用いると、このような二つの測定を一度に行われる。
【０１０６】
即ち、従来は、側方流動分析ツールを介して、ＨｓＣＲＰ、Ａ１ｃなどの情報を測定して、別途の吸光度測定ツールを利用して、Ｈｂ（ヘモグロビン）等の情報を測定して、時間が遅延され、作業がわずらわしかったが、本実施形態の一体型装置２００は、一体で形成されて、二つの情報を全部測定可能であるため、より迅速かつ容易に総合情報を獲得できることになる。さらには、吸光度測定が反射式で行われるため、透過型吸光度測定に比べて本実施形態の一体型装置２００、光源４００、そして光検出器５００の配置がずっと簡便になる。また、後述される試験結果（図１８参考）から分かるように、このような迅速性、簡便性などが確保されながらも測定に当たり所定の正確性も確保される。
【０１０７】
本発明の一実施形態に係る反射式吸光度測定装置１００、または本発明の他の実施形態に係る反射式吸光度測定及び側方流動分析一体型装置２００の反射式吸光度測定装置２１０の性能を検証するために、吸光度測定によるＨｂ濃度換算試験を実施した。上述したように表面反射光の影響を取り除くために、図７に示したように光源４００と光検出器５００が同じ鉛直線上にないように、光源４００を光検出器５００に対してずらして配置することが好ましい。但し、必ずしも図７と同じ順序や位置に光源４００と光検出器５００を配置しなければならないわけではなく、表面反射光の影響を極力抑える方向に配置すれば良い。
【０１０８】
図１７は、本発明の一実施形態に係る反射式吸光度測定装置、または本発明の他の実施形態に係る反射式吸光度測定及び側方流動分析一体型装置の反射式吸光度測定装置を介して測定された吸光度をＨｂ濃度に換算した結果を既存のＨｂ濃度測定結果と比較したグラフである。
【０１０９】
図１７は、図７と同じ形態の光源４００と光検出器５００の配置を介して算出された結果を既存の結果と比較したものである。図７のように、試料投入口１２１を介して処理された血液試料３００を試料受け入れ部１１１に入れた後、５２０ｎｍ波長の光源４００（ＬＥＤ）で試料受け入れ部１１１に置かれた試料３００を光透過部材１２７を介して照射した。反射した反射光を光検出器５００で測定して吸光度を求めて、Ｈｂ濃度に換算した。
【０１１０】
図１７で、Ｙ側は本実施形態の装置１００、２１０を介して求めたＨｂ濃度で、Ｘ軸は既存のヘモキュ（Ｈｅｍｏｃｕｅ）社のＨｂ−３０１の機種で測定したＨｂ濃度である。図１７に示したように、本実施形態の装置１００、２１０を通した複数のＨｂ濃度データ（Ｙ軸）とこれに対応する既存装置を通した複数のＨｂ濃度データ（Ｘ軸）は、Ｙ＝１．０１８７Ｘ−３．８９０５
（Ｒ２＝０．９８５５）で線形回帰されるので、互いに略同じ値（Ｙ＝Ｘに近い値）が測定されていることが分かる。
【０１１１】
試験結果からわかるように、反射式で吸光度測定が行われることによって、所定の正確性を維持しながらも、より簡便かつ容易に吸光度及びヘモグロビン濃度測定が行われる。
【０１１２】
次に、本発明の他の実施形態に係る反射式吸光度測定及び側方流動分析一体型装置２００の反射式吸光度測定装置２１０と側方流動分析装置２２０の組み合わせを介した総合情報測定性能を検証するために、ＨｂＡ１ｃ濃度測定試験を実施した。ＨｂＡ１ｃの測定のためにはまず反射式吸光度測定装置２１０を介してＨｂ濃度を測定しなければならないので、ＨｂＡ１ｃ測定用で用意された試料３００の一部を試料投入口１２１を介して試料受け入れ部１１１に投入して、吸光度及びＨｂ濃度を測定する。また、側方流動分析装置２２０を介してＡ１ｃを測定する。各々測定された二つの値を利用して、ＨｂＡ１ｃ濃度を換算した。
【０１１３】
図１８は、本発明の他の実施形態に係る反射式吸光度測定及び側方流動分析一体型装置において、反射式吸光度測定装置を介してＨｂ濃度を求めて、側方流動分析装置を介してＡ１ｃを測定してＨｂＡ１ｃ濃度に換算した結果を既存のＨｂＡ１ｃ濃度測定結果に比較したグラフである。
【０１１４】
つまり、図１８は糖尿病マーカーであるＨｂＡ１ｃの物質濃度を本実施形態の装置２００を介して測定した結果と既存の装置を介して測定した結果を比較したものである。ここで、既存の装置としては、基準機器であるＶＡＲＩＡＮＴ  ＩＩで程度管理を受ける標準測定機期を用いた。
【０１１５】
図１８で、Ｙ側は本実施形態の装置２００を介して求めたＨｂＡ１ｃ濃度で、Ｘ軸は既存装置で測定されたＨｂＡ１ｃ濃度である。図１８に示したように、本実施形態の装置２００を通した複数のＨｂＡ１ｃ濃度データ（Ｙ軸）とこれに対応する既存装置を通した複数のＨｂＡ１ｃ濃度データ（Ｘ軸）はＹ＝１．００２４Ｘ＋０．２３２７（Ｒ２＝０．９７６）で線形回帰されるので、互いに略同じ値（Ｙ＝Ｘに近い値）が測定されていることが分かる。
【０１１６】
試験結果から分かるように、側方流動分析と吸光度測定が、一つの装置２００で共に行われるようにすることによって、所定の正確性を維持しながらも、より迅速かつ容易に側方流動分析情報と吸光度測定情報の組み合わせを介した総合情報の測定が行われる。
【０１１７】
以上、本発明の実施形態を説明したが、本発明の権利範囲はこれに限定されなく、本発明の実施形態から本発明が属する技術分野において通常の知識を有する者によって容易に変更されて均等なものとして認められる範囲のいずれの変更及び修正を含む。
【符号の説明】
【０１１８】
１００      反射式吸光度測定装置
１１０      ベース部材
１１０ａ    四角形状
１１１      試料受け入れ部
１１１ａ    底部
１２０      カバー部材
１２０ａ    四角ホール
１２０ｂ    半円形突出部
１２１      試料投入口
１２３      試料投入口
１２５      反射光測定窓
１２７      光透過部材
１２７ｂ    光透過部材下面
１２９      光遮断部材
１３０      境界面
１４０      開口部
１５０      突起部
２００      反射式吸光度測定及び側方流動分析一体型装置
２１０      反射式吸光度測定装置
２２０      側方流動分析装置
２２１      第２試料投入口
２２３      測定窓
２２５      ストリップ受け入れ部
２３０      境界面
２４０      測定窓カバー
２４１ａ    第１ガイド突起
２４１ｂ    第２ガイド突起
２４３      係止段
２４５      止め突起
２４７      受け入れ溝
２６０      カバー移送ガイド
２６１      第１ガイド溝
２６３      第２ガイド溝
２６５      レール
２６７      第３ガイド溝
２６９      第４ガイド溝
３００      試料
４００      光源
５００      光検出器
６００      ストリップ
７００      ハウジングホルダー
【図１】
2014533371.tif 000003
【図２】
2014533371.tif 000004
【図３】
2014533371.tif 000005
【図４】
2014533371.tif 000006
【図５】
2014533371.tif 000007
【図６（ａ）】
2014533371.tif 000008
【図６（ｂ）】
2014533371.tif 000009
【図７】
2014533371.tif 000010
【図８】
2014533371.tif 000011
【図９ａ】
2014533371.tif 000012
【図９ｂ】
2014533371.tif 000013
【図１０】
2014533371.tif 000014
【図１１】
2014533371.tif 000015
【図１２】
2014533371.tif 000016
【図１３】
2014533371.tif 000017
【図１４】
2014533371.tif 000018
【図１５】
2014533371.tif 000019
【図１６ａ】
2014533371.tif 000020
【図１６ｂ】
2014533371.tif 000021
【図１６ｃ】
2014533371.tif 000022
【図１６ｄ】
2014533371.tif 000023
【図１７】
2014533371.tif 000024
【図１８】
2014533371.tif 000025
【図１９ａ】
2014533371.tif 000026
【図１９ｂ】
2014533371.tif 000027
【図１９ｃ】
2014533371.tif 000028
【図１９ｄ】
2014533371.tif 000029
【図２０Ａ】
2014533371.tif 000030
【図２０Ｂ】
2014533371.tif 000031
【図２０Ｃ】
2014533371.tif 000032
【図２１】
2014533371.tif 000033
【図２２ａ】
2014533371.tif 000034
【図２２ｂ】
2014533371.tif 000035
【図２３ａ】
2014533371.tif 000036
【図２３ｂ】
2014533371.tif 000037
【図２４】
2014533371.tif 000038
【図２５】
2014533371.tif 000039
【図２６】
2014533371.tif 000040
【図２７】
2014533371.tif 000041
【図２８】
2014533371.tif 000042
【図２９】
2014533371.tif 000043
【図３０】
2014533371.tif 000044
【図３１】
2014533371.tif 000045
【国際調査報告】
2014533371.tif 000046
2014533371.tif 000047
2014533371.tif 000048
2014533371.tif 000049